(57)【要約】      （修正有）【課題】  ガラス板の取り扱い性を向上させるとともに着脱作業を容易化して作業効率や生産性を高めたガラス支持機構を提供する。【解決手段】  遊技盤１０を保持する枠部材１の前面側に前後に開口する窓口６１ａを有して横開き開閉可能に取り付けられた窓枠６１、及びこの窓枠６１の背面側にガラス保持手段７０を介して窓口６１ａを塞ぐように取り付けられたガラスアセンブリ６２を備え、ガラス扉６０が遊技盤１０の前面を覆うように閉鎖された状態でガラスアセンブリ６２を通して遊技盤１０を透視させ遊技を行う遊技機ＰＭにおいて、ガラス保持手段７０が、窓口６１ａの上部中央に設けられた係止部７３と、窓口６１ａの下部に設けられた２つの支持部７１とを備えて構成される。そして、ガラスアセンブリ６２を支持部７１にて下部支持させて窓口６１ａを塞ぐように位置させた状態において、係止部７３がこのガラスアセンブリ６２の上部を係止する。【選択図】  図２
2006149508.tif 000002
【特許請求の範囲】
【請求項１】
遊技盤を保持する枠部材の前面側に前後に開口する窓口を有して横開き開閉可能に取り付けられた窓枠、及びこの窓枠の背面側にガラス保持手段を介して前記窓口を塞ぐように取り付けられたガラスアセンブリを備え、前記ガラス扉が前記遊技盤の前面を覆うように閉鎖された状態で前記ガラスアセンブリを通して前記遊技盤を透視させ遊技を行う遊技機において、
前記ガラス保持手段は、
前記窓口の上部中央に設けられた係止部と、
前記窓口の下部に設けられた２つの支持部とを備えて構成され、
前記ガラスアセンブリを前記支持部にて下部支持させて前記窓口を塞ぐように位置させた状態において、前記係止部が前記ガラスアセンブリの上部を係止することで前記ガラスアセンブリが前記窓枠に保持されることを特徴とする遊技機のガラス支持機構。
【請求項２】
前記支持部のそれぞれは溝部を有し、
前記ガラスアセンブリには２つの被支持部が突出して設けられており、
前記被支持部を前記溝部に挿通することで、前記ガラスアセンブリの前記支持部における支持が行われることを特徴とする請求項１に記載の遊技機のガラス支持機構。
【請求項３】
前記係止部は保持位置と解除位置との回動領域を含んで回動可能に枢結された係止部材を有し、
前記ガラスアセンブリには被系止部が設けられており、
前記ガラスアセンブリを前記支持部にて支持させて前記窓口を塞ぐように位置させた状態において、
前記係止部材が前記保持位置に回動されると、前記被系止部は前記係止部材及び前記窓枠に挟持されて係止され、前記ガラスアセンブリは前記窓枠に保持され、
前記係止部材が前記解除位置に回動されると、前記被系止部が前記係止部材による係止状態から解放され、前記ガラスアセンブリは前記窓枠から取り外しが可能であることを特徴とする請求項１または２に記載の遊技機のガラス支持機構。
【請求項４】
前記２つの支持部は前記窓枠に左右対称に設けられていることを特徴とする請求項１〜３に記載の遊技機のガラス支持機構。
【発明の詳細な説明】
【技術分野】
【０００１】
本発明は、前後に開口する窓口を有した窓枠の背面側にこの窓口を塞ぐように取り付けられる少なくとも１枚のガラス板を含むガラスアセンブリを有し、このガラスアセンブリを透視させてゲームを行う遊技機のガラス扉に関する。詳細には、このような遊技機の窓枠にガラスアセンブリを着脱可能に支持させるガラス支持機構に関する。
【背景技術】
【０００２】
上記のようなガラス窓を有する遊技機として、パチンコ機やアレンジボール機、雀球遊技機などの遊技機がある。例えば、この種の遊技機の代表例として例示されるパチンコ機では、開閉搭載枠たる前枠の正面奥部に所定のゲージ設定で遊技領域が形成された遊技盤がセット保持されており、その前面側に遊技領域を透視保護するガラス扉が設けられている。
【０００３】
ガラス扉は、中央部に開口する窓口を有して外郭方形状に一体成型された窓枠と、この窓枠の背面側にガラス保持手段を介して窓口を塞ぐように取り付けられたガラス板とを主体として構成されており、窓枠および前枠の左側縁に配設されたヒンジ機構で横開き開閉自在に支持されるとともに、互いの右側縁に配設された施錠装置を利用して閉鎖保持可能に取り付けられている。ガラス保持手段としては、窓枠の裏面側に窓口を取り囲むようにネジ固定された金属製のガラス枠が従来から広く用いられている。ガラス枠の左右辺部にはガラス板の外周縁部を支持するガイドレール状の支持溝が前後２列に形成されており、ガラス枠の上方から各支持溝に沿ってガラス板を挿入することでガラス板を保持させるように構成されている。
【０００４】
このガラス板は、パチンコ機の運搬途上における乱雑な取り扱いや振動等による破損を防止するため、パチンコ機の出荷に際してガラス扉から取り外され別梱包して出荷されており、パチンコ機が遊技施設に固定設置された後に、窓枠を開放させて１枚ずつガラス枠に挿入することで組み付けられている。
【０００５】
しかしながら、遊技施設にガラス板を取り付ける際には、すでに立設姿勢に設置されて高所位置にあるガラス枠の上端位置までガラス板を鉛直に立てた状態で持ち上げ支持したうえで、ガラス板の左右側縁下端部を支持溝に位置あわせして係合させ、さらに支持溝に沿って鉛直下方に挿入する必要がある。また、ガラス板を取り外す際も同様にガラス板を高い位置まで鉛直姿勢を維持したまま上方に持ち上げて引き抜く必要があるため、ガラス板の挿抜が容易でないという問題があった。
【０００６】
こうした問題を解消してガラス板の装着や取り扱いを容易化するため、ガラス板の外周縁部を支持するガラス枠を窓枠に対して前後に傾動可能に配設し、窓枠を開放してガラス枠の上部を窓口後方に傾動させた状態で、前後のガラス板をガラス枠の上方から斜め下方に挿入させることで、ガラス板の装着作業を容易化しようとしたものがある（例えば特許文献１）。
【０００７】
さらに他の方法としては、前後２枚のガラス板を所定の間隔をおいて一体化させたガラスアセンブリ（例えば特許文献２，３）などが知られており、また、このようなガラスアセンブリを利用したガラス支持機構として、吊支部材と掛止部材によりガラスアセンブリをガラス枠より吊り下げ支持する特許文献４が開示されている。
【０００８】
【特許文献１】特開平１０−８０５５５号公報
【特許文献２】実開昭５９−１８３２８２号公報
【特許文献３】実開平２−１０６２９１号公報
【特許文献４】特開２００４−１０５３４１
【発明の開示】
【発明が解決しようとする課題】
【０００９】
しかしながら、特許文献１に記載された技術では、ガラス枠を傾動させることでガラス板の挿入方向が斜め方向に変化するものの、ガラス枠上端の高さ位置、すなわち挿入すべきガラス溝の高さ位置は傾動姿勢にあっても殆ど変化しないため、高所位置にあるガラス枠の上端までガラス板を持ち上げ支持して支持溝に係合させるという作業に大差がなく、着脱作業の容易化を十分に図ることができないという問題があった。さらに、ガラス板を装着したガラス枠を固定手段により窓枠に固定保持させるまでの間は、ガラス枠またはガラス板の背面側を片手で支えながら他方の手で片手作業を行わなければならず、作業が繁雑であるという問題があった。
【００１０】
特許文献４では、２枚のガラスを係合保持するガラスアセンブリを窓枠にて吊り下げ支持するため、ガラス枠の上端までガラスアセンブリを持ち上げ支持して支持溝に係合させる作業は必要ない。しかし、複数の吊支部材と掛止部材によりガラスアセンブリを保持するために作業が面倒という問題は残り、このため、装着作業をより容易に行えるガラス支持機構が求められていた。
【００１１】
本発明は以上のような問題に鑑みてなされたものであり、ガラス板の取り扱い性を向上させるとともに、煩雑かつ重労働であるガラス板（ガラスアセンブリ）の着脱作業を容易化して作業効率や生産性を高めるガラス支持機構を提供することを目的とする。
【課題を解決するための手段】
【００１２】
上記目的達成のため本発明の球抜き機構では、遊技盤を保持する枠部材の前面側に前後に開口する窓口を有して横開き開閉可能に取り付けられた窓枠、及びこの窓枠の背面側にガラス保持手段を介して窓口を塞ぐように取り付けられたガラスアセンブリを備え、ガラス扉が遊技盤の前面を覆うように閉鎖された状態でガラスアセンブリを通して遊技盤を透視させ遊技を行う遊技機において、ガラス保持手段が、窓口の上部中央に設けられた係止部と、窓口の下部に設けられた２つの支持部とを備えて構成される。そして、ガラスアセンブリを支持部にて下部支持させて窓口を塞ぐように位置させた状態において、係止部がこのガラスアセンブリの上部を係止することでガラスアセンブリ全体が窓枠に保持される。
【００１３】
なお、支持部のそれぞれに溝部を設け、ガラスアセンブリに２つの突出した被支持部を設けて、この被支持部を溝部に挿通させることでガラスアセンブリの支持部における支持を行うのが好ましい。さらには、これら２つの支持部は窓枠に左右対称に設けることが好ましい。
【００１４】
また、係止部は保持位置と解除位置との回動領域を含んで回動可能に枢結された係止部材を有して、ガラスアセンブリは被系止部を有して、ガラスアセンブリを支持部にて支持させて窓口を塞ぐように位置させた状態において、係止部材が保持位置に回動されると、被系止部は係止部材及び窓枠に挟持されてガラスアセンブリ全体は窓枠に保持され、係止部材が解除位置に回動されると、被系止部が係止部材による係止状態から解放されてガラスアセンブリは窓枠から取り外しできるように構成することが好ましい。
【発明の効果】
【００１５】
本発明によれば、２枚のガラス板はガラスアセンブリとして一体化されており、このガラスアセンブリをガラス扉に取り付ける際には、まずガラス扉窓枠の背面から窓口に合わせて鉛直にガラスアセンブリを配置させ、これを数センチ下方向に移動させて被支持部を支持部（溝部）に挿通させる。これによりガラスアセンブリの下部は支持されるので、あとはこの上部を係止部で係止させればよい。このように取り付け作業時にはガラスアセンブリを窓枠と隣接する位置まで持ち上げればよいので、従来のようにガラス板をガラス枠の上端位置まで持ち上げる必要がない。取り外しの際も同様であり、係止部を係止解除させた状態でガラスアセンブリを数センチ上方に持ち上げて支持部（溝部）より抜脱すればよい。このように本発明では、従来では重労働で問題となっていたガラス板の持ち上げ作業を改善させ、背の低い作業員や非熟練作業員であっても容易且つ安全にガラス板の着脱作業を行えるようになっている。
【００１６】
また本発明のガラス支持機構によれば、２つの支持部と１つの係止部を保持手段とする単純な構成にすることで、例えば特許文献４のように複数の掛止部（本発明の係止部にあたる）で係止させる必要がある従来のガラス支持機構と比べて、ガラス板（ガラスアセンブリ）の着脱作業を短時間で行うことができ、作業効率を上げることができる。また、本発明ではガラスアセンブリは窓枠に３点で保持されるため、シンプルな構成で安定した保持状態を発揮する。
【００１７】
本発明のガラス支持機構の係止部は、回動可能に設けられた係止部材が窓枠との間にガラスアセンブリの被系止部を挟持することでこれを係止する。ガラスアセンブリの保持・非保持状態はこの係止部材を回動させることで簡単に変更可能なため、ガラスアセンブリのガラス枠への取り付け及び取り外しを迅速に行うことができる。このように、本発明はガラス板のガラス扉への挿抜を従来と比べてより容易に、そして安全に行うことを可能にする。
【発明を実施するための最良の形態】
【００１８】
以下、本発明の好ましい実施形態について図面を参照しながら説明する。本発明に係るガラス支持機構を備えた遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た斜視図、図２はパチンコ機ＰＭのガラス扉および上球皿を開放して示す斜視図、そして図３はパチンコ機ＰＭを背面側から見た斜視図であり、図１、図３及び図２右側に示された座標の前後上下左右方向をパチンコ機ＰＭ全体の正面基準方向として説明する（図２左側の座標については後述する）。
【００１９】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられたダブル錠と称される施錠装置４を利用して常には外枠１と係合連結された閉止状態に保持される。
【００２０】
前枠２の前面（表面）上部側には、透明アクリル板やガラス板を有したガラス扉６０が左端部のヒンジ（図示せず）を介して横開きおよび着脱が自在に取り付けられ、施錠装置４により常には前枠２の前面を覆う閉止状態に保持される。ガラス扉６０の背後に位置する前枠上部には、遊技盤１０を着脱自在に収容する収容枠が設けられており、この収容枠に立設姿勢で係止保持された遊技盤１０がガラス扉５を通して視認されるようになっている。また、前枠２の前面上部における左右には、スピーカ２１がそれぞれ配設されている。
【００２１】
遊技盤１０は、所定板厚の積層合板の表面にセルを貼り付けてルーター加工した化粧板を基板とし、円弧状のレール１１等に囲まれて略円形状の遊技領域ＰＡが形成されている。遊技領域ＰＡには、多数本の遊技釘や風車（図示せず）とともに各種入賞装置（図示せず）等の遊技構成部品が取り付けられ、下端部にアウト口１２が設けられている。
【００２２】
また、図２に示すように、前枠２の前面（表面）における上記ガラス扉６０の下側には、上球皿３０が左端のヒンジ機構２２により横開きおよび着脱可能に取り付けられ、常には右側に設けられたロック機構２３によりガラス扉６０の下側において前枠２の前面を覆った状態で係止保持されている。上球皿３０に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６や、遊技球発射装置２６から発射された遊技球を遊技盤１０に案内する発射レール（図示せず）、後述する球払出装置４２から払い出された遊技球（賞球）が排出される通出口２７等が設けられている。
【００２３】
上球皿３０は、遊技補助盤２５の前面（表面）を覆うように形成された当て板部３１と、当て板部３１の前方に突出して設けられ、遊技中に払い出された遊技球（賞球）を受容して貯留する球皿部３２とを有して構成され、さらに球皿部３２の右側（下流部）には球抜きレバー３３が取り付けられる。当て板部３１の裏面側には、球皿部３２に貯留された遊技球（賞球）を１球ずつ遊技球発射装置２６（発射レール）に供給する整流装置５０が取り付けられている。当て板部３１の左上部には通出口２７と位置整合して通出樋３４が形成されており、通出口２７から排出される賞球が通出樋３４を通って球皿部３２に導かれるように構成されている。なお、図１に示すように、球皿部３２の底部は右方に向かうにつれて下方へ傾斜するように形成されており、球皿部３２に貯留された遊技球が重力の作用により整流装置５０へ導かれるようになっている。
【００２４】
前枠２の前面（表面）における上球皿３０の下側には、下球皿７が前方に突出して設けられている。この下球皿７は、上球皿３０の球皿部３２に貯留された遊技球（賞球）がオーバーフローしたときや、遊技者が上球皿３０の球抜きレバー３３を操作して上球皿３０から遊技球を抜いたときに、前枠２側に形成された球皿通路２８および下球皿出口２９を介して送られてくる遊技球を受容して貯留するようになっている。また、下球皿７の右側には、遊技球の発射操作を行う発射ハンドル８が取り付けられている。
【００２５】
前枠２の背面（裏面）上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿３０に導く球払出通路４３等の遊技球の処理機構が設けられている。
【００２６】
前枠２の背面（裏面）下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００２７】
パチンコ機ＰＭは、ガラス扉６０、上球皿３０、第１および第２裏セット盤４０，４５等が閉鎖施錠された状態で遊技に供され、上球皿３０に遊技球を貯留させて発射ハンドル８を回動操作することにより遊技が開始される。発射ハンドル８が回動操作されると、上球皿３０に貯留された遊技球は、上球皿３０の裏面側に位置する遊技球発射装置２６により１球ずつ遊技領域ＰＡに打ち出され、パチンコゲームが展開される。
【００２８】
次に、上記のように構成されたパチンコ機ＰＭのガラス扉６０の概要構成について図２、図４及び図６を参照しながら説明する。ここで、図４及び図６はパチンコ機ＰＭの前枠２よりガラス扉６０が開かれた状態でこのガラス扉６０を背面から見た図であり、これら図４、図６及び図２左側に示された座標の前後上下左右方向を、ガラス扉６０の背面基準方向として説明する。
【００２９】
まず図２に示されているように、ガラス扉６０は、前後に開口する略楕円形状の窓口６１ａを有し、外郭方形の枠状に一体成型された樹脂製の窓枠６１の背面側にこの窓口６１ａを取り囲むようにガラスアセンブリ６２が配設されて構成される。このガラスアセンブリ６２は、薄板板金製の保護フレーム６３の前後に２枚のガラス板Ｇが所定間隔をおいて一体化されて形成され、後述するガラス支持機構７０により保持されて窓枠６１に着脱可能に取り付けられている。ガラス扉６０は、前述したように窓枠６１と前枠２との正面左側に設けられたヒンジ機構（図示せず）により前枠２に対して横開き開閉及び着脱が自在に支持されている。
【００３０】
本発明に係るガラス支持機構７０は、窓口６１ａの下側に左右一対に位置する支持部７１ａ，７１ｂと、窓口６１ａの上部に位置する係止部７３とから構成され、支持部７１、係止部７３はいずれも窓枠６１の背面側に突出して取り付けられている。なお、これら支持部７１及び係止部７３は窓枠６１と一体に成型されていてもよい。
【００３１】
支持部７１ａ，７１ｂは、図４に示されているように、外郭方形の枠状を有して窓枠６１の背面側に窓口６１ａの形状に沿って左右対称に、ネジ部材（図示せず）などで固設されている。これら支持部７１ａ，７１ｂは三角形状の溝間凹部７２ａ，７２ｂをその内側（窓枠６１側）に有し、後述するガラスアセンブリ６２の突起部６３ａ，６３ｂが挿抜可能な形状となっている。
【００３２】
係止部７３は、図６に示されているように、ネジ部材７３ａ、旋回軸部７３ｂ、及び係止金具７３ｃとから構成され、窓口６１ａ上部に位置して配設されている。旋回軸部７３ｂは円筒形状を有して窓枠６１背面側より前方に突出して設けられており、この旋回軸部７３ｂの先端には係止金具７３ｃがネジ部材７３ａを介してガラス扉６０の面に対して水平に回動可能に枢結されている。このように構成された係止部７３によるガラスアセンブリ６２の窓枠６１への係止は、詳細は後述するが、この係止金具７３ｃを回動することで行われる。
【００３３】
ガラスアセンブリ６２の保護フレーム６３は、窓口６１ａと一致するような略楕円形状を有し、その下部には左右に外径方向に突出してなる三角形状の突起部６３ａ，６３ｂを（図４参照）、上部には上方向に併設されてなる被係止部６３ｃを（図６参照）それぞれ備えている。これら突起部６３ａ，６３ｂ及び被係止部６３ｃは、前記で説明した窓枠６１上に設けられた支持部７１ａ，７１ｂ及び係止部７３にそれぞれ対応して係着される。
【００３４】
ここで、上記のように構成されたガラス扉６０において、ガラス板Ｇの窓枠６１への取り付け方法を図４〜図７を用いて説明する。ここでは、パチンコ機ＰＭはすでに高所位置に立設姿勢で設置されており、また、２枚のガラス板Ｇは保護フレーム６３とともにガラスアセンブリ６２として一体化されており、作業員はこのガラスアセンブリ６２を持ち上げて、前枠２より横開きで開かれている状態のガラス扉６０の窓枠６１背面にガラス支持機構７０を利用して取り付けるものとする。
【００３５】
まず、作業員はガラスアセンブリ６２を持ち上げて移動させ、窓枠６１の背面から窓口６１ａに合わせて鉛直に配置させる。詳細にはこのとき、ガラスアセンブリ６２の突起部６３ａ，６３ｂがそれぞれ対応する支持部７１ａ，７１ｂの少し上に位置するように、また、被係止部６３ｃが係止部７３と干渉しないようにガラスアセンブリ６２を背面前方に少し傾斜させて隣接させる（図４参照）。そしてこの位置からガラスアセンブリ６２を窓枠６１に沿って下方向に移動させ、突起部６３ａ，６３ｂを支持部７１ａ，７１ｂの溝間凹部７２ａ，７２ｂに挿通させる。これにより、ガラスアセンブリ６２は支持部７１ａ，７１ｂにより立設支持される（図５参照）。
【００３６】
次に、このように下部が支持されたガラスアセンブリ６２の上部を係止部７３で係止する。上記で説明した図５の状態におけるガラス扉６０の上部拡大図を図６で示しており、ここでは窓枠６１上部に位置する係止部７３の係止金具７３ｃが右方向を向いている状態が示されている。この状態では係止部７３は解除状態にあり、ガラスアセンブリ６２は係止金具７３ｃと干渉することなく前方に傾動可能である。ここで作業員は係止金具７３ｃを時計回りに９０度回動させることで、被系止部６３ｃをこの係止金具７３ｃと窓枠６１により挟持させる（図７参照）。なお、このとき被系止部６３ｃに設けられた凸部６３ｄが係止金具７３ｃの先端に設けられた凹部７３ｄに嵌入し、係止部材７３ｃの回動をロックするとともにガラスアセンブリ６２の保持をより強固なものにする。これによりガラスアセンブリ６２の上部（被系止部６３ｃ）は係止部７３により係止され、支持部７１ａ，７１ｂによる支持と併せてガラスアセンブリ６２の全体の保持が３点で行われる。
【００３７】
このようにして窓枠６１に保持されたガラスアセンブリ６２を逆にガラス扉６０から取り外すときには、上記で説明した図４〜図７の手順を反対の順に行えばよい。具体的には、係止金具７３ｃを図７の係止位置より回動させて図６のように解除位置にさせ、ガラスアセンブリ６２を前方に少し傾斜させて係止部７３と干渉しないようにした状態で数センチ上方に持ち上げて突起部６３ｂ，６３ｃを支持部７１ａ，７１ｂの溝間凹部７２ａ，７２ｂより抜き取ればよい。
【００３８】
上記で説明したガラス支持機構７０を利用すれば、ガラス扉６０でのガラス板Ｇ着脱において、作業員はガラスアセンブリ６２を窓枠６１の背面に隣接する位置まで持ち上げればよく、２枚のガラス板Ｇを別々に窓枠６１の上端位置まで持ち上げる必要がない。また、ガラスアセンブリ６２の保持・非保持状態は係止部７３の係止金具７３ｃを回動させることで容易に変更可能である。このように本発明では、従来では重労働で問題となっていたガラス板Ｇの持ち上げ作業を改善させるとともに、容易且つ迅速にガラス板の着脱作業を行えるようになっている。
【００３９】
なお、本実施例で用いられたガラスアセンブリ６２は前後２枚のガラス板Ｇを保護フレーム６３で一体化させたものであるが、例えば１枚のガラス板を保護フレームで覆った構成にしてもよい。このように本発明は、上記実施形態に限定されるものではなく、本発明の要旨を逸脱しない範囲であれば適宜改良可能である。
【図面の簡単な説明】
【００４０】
【図１】本発明に係る球抜き機構を備えたパチンコ機を正面側から見た斜視図である。
【図２】上記パチンコ機のガラス扉および上球皿を開放して示す斜視図である。
【図３】上記パチンコ機を背面側から見た斜視図である。
【図４】本発明に係るガラス支持機構の支持部がガラスアセンブリを支持していない状態を示す斜視図である。
【図５】上記ガラス支持機構の支持部がガラスアセンブリを支持している状態を示す斜視図である。
【図６】上記ガラス支持機構の係止部がガラスアセンブリを係止していない状態を示す斜視図である。
【図７】上記ガラス支持機構の係止部がガラスアセンブリを係止している状態を示す斜視図である。
【符号の説明】
【００４１】
ＰＭ  パチンコ機（弾球遊技機）
ＰＡ  遊技領域
Ｇ  ガラス板
１  外枠
２  前枠
７  下球皿
１０  遊技盤
２６  遊技球発射装置
３０  上球皿
６０  ガラス扉
６１  窓枠
６１ａ  窓口
６２  ガラスアセンブリ
６３  保護フレーム
６３ａ，ｂ  突起部
６３ｃ  被系止部
６３ｄ  凸部
７０  ガラス支持機構
７１  支持部
７２  溝間凹部
７３  係止部
７３ａ  ネジ部材
７３ｂ  旋回軸部
７３ｃ  係止金具
７３ｄ  凹部
【図１】
2006149508.tif 000003
【図２】
2006149508.tif 000004
【図３】
2006149508.tif 000005
【図４】
2006149508.tif 000006
【図５】
2006149508.tif 000007
【図６】
2006149508.tif 000008
【図７】
2006149508.tif 000009